(57)【要約】【課題】ローダミン系蛍光物質を添加物のトレーサとして使用した場合に、時間の経過とともに蛍光強度が減少することを抑え、添加物、例えば水処理薬剤の濃度を長期間に亘りより正確に測定することを可能にするローダミン系蛍光物質の蛍光強度安定化方法、及び蛍光トレーサ含有水処理薬剤を提供する。【解決手段】本発明は、上記課題を解決するため、ローダミン系蛍光物質と、波長６１０ｎｍ以上６４０ｎｍ以下の範囲に吸収極大を有する色素を共存させることを特徴とするローダミン系蛍光物質の蛍光強度安定化方法の構成とした。また、腐食抑制剤、スケール抑制剤、スライム防除剤から選ばれる１種又は２種以上の水処理薬剤と、ローダミン系蛍光物質と、波長６１０ｎｍ以上６４０ｎｍ以下の範囲に吸収極大を有する色素と、を混合してなることを特徴とする蛍光トレーサ含有水処理薬剤の構成とした。【選択図】なし【特許請求の範囲】
【請求項１】
ローダミン系蛍光物質と、波長６１０ｎｍ以上６４０ｎｍ以下の範囲に吸収極大を有する色素を共存させることを特徴とするローダミン系蛍光物質の蛍光強度安定化方法。
【請求項２】
ローダミン系蛍光物質を水処理薬剤のトレーサとして水系に添加するに際し、該水系において波長６１０ｎｍ以上６４０ｎｍ以下の範囲に吸収極大を有する色素を共存させることを特徴とするローダミン系蛍光物質の蛍光強度安定化方法。
【請求項３】
水処理薬剤のトレーサとして使用するローダミン系蛍光物質と、腐食抑制剤、スケール抑制剤及びスライム防除剤の少なくとも１つとを混合して製剤化するに際し、該製剤中に波長６１０ｎｍ以上６４０ｎｍ以下の範囲に吸収極大を有する色素を共存させることを特徴とするローダミン系蛍光物質の蛍光強度安定化方法。
【請求項４】
前記ローダミン系蛍光物質がローダミンＷＴであることを特徴とする請求項１乃至請求項３の何れか１項に記載のローダミン系蛍光物質の蛍光強度安定化方法。
【請求項５】
前記波長６１０ｎｍ以上６４０ｎｍ以下の範囲に吸収極大を有する色素が、青色１号、青色２号、緑色３号、黒色４０１号から選ばれた少なくとも１つ、又はこれら色素の少なくとも１つを含む色素製剤であることを特徴とする請求項１乃至請求項４の何れか１項に記載のローダミン系蛍光物質の蛍光強度安定化方法。
【請求項６】
腐食抑制剤、スケール抑制剤、スライム防除剤から選ばれる１種又は２種以上の水処理薬剤と、ローダミン系蛍光物質と、波長６１０ｎｍ以上６４０ｎｍ以下の範囲に吸収極大を有する色素と、を混合してなることを特徴とする蛍光トレーサ含有水処理薬剤。
【発明の詳細な説明】
【技術分野】
【０００１】
本発明は、水系に添加する蛍光物質の蛍光強度安定化方法に関する。詳しくは、水処理薬剤の濃度を検出、定量するためにトレーサとして用いるローダミン系蛍光物質の蛍光強度安定化方法に関するものである。
【背景技術】
【０００２】
開放循環冷却水系などの水系では、腐蝕、スケール、スライム等の水に起因する障害を防ぐために各種の水処理薬剤が使用されている。一般に、水系で使用される水処理薬剤には、腐蝕抑制剤、スケール抑制剤、スライム防除剤（バイオファウリング抑制剤）などがある。
【０００３】
水系において、これらの水処理薬剤の添加による効果を十分に発揮させるためには、水系内に添加された水処理薬剤の濃度を、任意の位置、時間などにおいて正確に把握し、水処理薬剤が適正な濃度となるように管理することが重要である。
【０００４】
ところが、水処理薬剤の種類によっては、水中における濃度の測定が不可能、或いは困難なものがある。そのため、水系において、水処理薬剤としてそれ自身の濃度の測定が不可能、或いは困難な水処理薬剤を使用する場合の水処理薬剤の濃度管理方法として、簡単に濃度測定のできる物質をトレーサとして用いることが行われている。
【０００５】
このトレーサを用いる方法によれば、それ自身の濃度の測定が不可能、或いは困難な水処理薬剤であっても、その水中における当該水処理薬剤の濃度を迅速に推定することが可能となる。
【０００６】
このトレーサを用いる方法として、特許文献１、２に開示されるような水処理薬剤と共にトレーサ物質として蛍光物質を水系に添加して水処理薬剤の濃度を推定する蛍光トレーサ法がある。
【０００７】
蛍光トレーサ法で蛍光トレーサとして用いる物質には、一般に次に挙げるような条件を満足することが望まれる。（１）工業用水等の中に存在しないか、或いは存在しても無視できるほど極微量であること。（２）強い蛍光を発すること。（３）微生物の作用で容易に分解しないこと。（４）公害防止の観点から実質的に無害であること。（５）水系の配管材料などの金属材料に対する腐食性がないこと。
【０００８】
ローダミン系蛍光物質は、上記（１）〜（５）の条件を満たす優れた蛍光物質として知られている。ローダミン系蛍光物質は赤色系の染料であり、通常の場合、緑色（５２０ｎｍ）の光を受けるとオレンジ色（５８０ｎｍ）の蛍光を発する色素である。
【０００９】
ローダミン系蛍光物質をトレーサとする蛍光トレーサ法を用いることにより、簡便な測定操作で短時間に、必要なら測定現場で水処理薬剤の濃度を正確に把握することが可能である。
【先行技術文献】
【特許文献】
【００１０】
【特許文献１】特開平０７−１２８３２４号公報
【特許文献２】特開平０９−１７８６６２号公報
【発明の概要】
【発明が解決しようとする課題】
【００１１】
しかしながら、ローダミン系蛍光物質には、トレーサ物質（蛍光物質）として水処理薬剤と共に水系に添加したり、水処理薬剤の中に混合して一液製剤化した場合に、時間の経過とともに、蛍光強度が減少し、水処理薬剤の濃度を正確に把握できないという問題があった。
【００１２】
そこで、本発明は、ローダミン系蛍光物質を添加物のトレーサとして使用した場合に、時間の経過とともに蛍光強度が減少することを抑え、添加物、例えば水処理薬剤の濃度を長期間に亘りより正確に測定することを可能にするローダミン系蛍光物質の蛍光強度安定化方法、及び蛍光トレーサ含有水処理薬剤を提供することを目的とする。
【課題を解決するための手段】
【００１３】
本発明者らは、上記の課題を解決すべく鋭意研究を重ねた結果、ローダミン系蛍光物質と特定の波長範囲に吸収極大を有する色素とを共存させることにより、時間が経過してもローダミン系蛍光物質の蛍光強度の低下を抑えて安定化できることを見出し、この知見に基づいて本発明を完成するに至った。
【００１４】
即ち、本発明は、上記課題を解決するため、ローダミン系蛍光物質と、波長６１０ｎｍ以上６４０ｎｍ以下の範囲に吸収極大を有する色素を共存させることを特徴とするローダミン系蛍光物質の蛍光強度安定化方法の構成とした。また、ローダミン系蛍光物質を水処理薬剤のトレーサとして水系に添加するに際し、該水系において波長６１０ｎｍ以上６４０ｎｍ以下の範囲に吸収極大を有する色素を共存させることを特徴とするローダミン系蛍光物質の蛍光強度安定化方法の構成とした。水処理薬剤のトレーサとして使用するローダミン系蛍光物質と、腐食抑制剤、スケール抑制剤及びスライム防除剤の少なくとも１つとを混合して製剤化するに際し、該製剤中に波長６１０ｎｍ以上６４０ｎｍ以下の範囲に吸収極大を有する色素を共存させることを特徴とするローダミン系蛍光物質の蛍光強度安定化方法の構成とした。
【００１５】
さらに、前記ローダミン系蛍光物質がローダミンＷＴであることを特徴とする前記何れかに記載のローダミン系蛍光物質の蛍光強度安定化方法の構成、前記波長６１０ｎｍ以上６４０ｎｍ以下の範囲に吸収極大を有する色素が、青色１号、青色２号、緑色３号、黒色４０１号から選ばれた少なくとも１つ、又はこれら色素の少なくとも１つを含む色素製剤であることを特徴とする前記何れかに記載のローダミン系蛍光物質の蛍光強度安定化方法の構成とした。
【００１６】
加えて、腐食抑制剤、スケール抑制剤、スライム防除剤から選ばれる１種又は２種以上の水処理薬剤と、ローダミン系蛍光物質と、波長６１０ｎｍ以上６４０ｎｍ以下の範囲に吸収極大を有する色素と、を混合してなることを特徴とする蛍光トレーサ含有水処理薬剤の構成とした。
【００１７】
ローダミン系蛍光物質としては、ローダミンＷＴ、ローダミンＢ、ローダミン６Ｇ及びこれらの誘導体、ローダミン１２３，ローダミン１０１等が一般的によく知られ、それらを本発明に採用することができる。ローダミンＷＴとローダミンＢは類似の化合物で、共に１９６０年代からトレーサとして、自然界、工業用水系などで用いられている。
【００１８】
ローダミンＷＴ（ＣＡＳ登録番号：３７２９９−８６−８）は、懸濁した土砂に吸収されるローダミンＢの欠点を補うために開発されたものであり、毒性も軽減され、米国では海洋や排水等のトレーサとして使用も認可されており、本発明において最適である。
【００１９】
本発明において、ローダミン系蛍光物質と共存させる色素は、波長６１０ｎｍ以上６４０ｎｍ以下の範囲に吸収極大を有する色素であれば特に制限はないが、安定性が高く色あせしにくい点から法定色素（タール色素）、特に食品添加物として認可されているものが好ましい。
【００２０】
波長６１０ｎｍ以上６４０ｎｍ以下の範囲に吸収極大を有する好ましい法定色素としては、青色１号、青色２号、緑色３号、黒色４０１号等を挙げることができ、安全性の面から食品添加物に指定されている青色１号、青色２号、緑色３号が特に好ましい。
【００２１】
また、波長６１０ｎｍ以上６４０ｎｍ以下の範囲に吸収極大を有する好ましい色素製剤として、シンコー株式会社製のメロン色、チョコレート色Ｂを挙げることができる。また、前記メロン色とチョコレート色Ｂとの混合物は、相乗的な効果を示し特に好ましい。なお、前記メロン色は、黄色４号と青色１号との混合色素であり、また、チョコレート色は、赤色２号と赤色１０２号と黄色４号と青色２号との混合色素である。
【発明の効果】
【００２２】
本発明は、上記構成であるから、長期間に亘り、水系に添加される添加物、特に水処理薬剤の濃度を正確に把握することができる。
【図面の簡単な説明】
【００２３】
【図１】ローダミン系蛍光物質（ローダミンＷＴ）及び各種色素との混合物の蛍光強度の常温（室温）における経時変化を調べた実施例１の結果である。
【図２】ローダミン系蛍光物質（ローダミンＷＴ）及び各種色素との混合物の蛍光強度に対する熱の影響を調べた実施例２の結果である。
【図３】ローダミン系色蛍物質（ローダミンＷＴ）及び各種色素との混合物の蛍光強度に対する直射日光の影響を調べた実施例３の結果である。
【図４】水処理薬剤にローダミン系蛍光物質（ローダミンＷＴ）と、各種色素を混合した蛍光トレーサ含有水処理薬剤の蛍光強度の常温における経時変化を調べた実施例４の結果である。
【発明を実施するための形態】
【００２４】
以下に、添付図面に基づいて、本発明であるローダミン系蛍光物質の蛍光強度安定化方法について詳細に説明する。
【実施例１】
【００２５】
図１は、ローダミン系蛍光物質（ローダミンＷＴ）及び各種色素との混合物の蛍光強度の常温（室温）における経時変化を調べた実施例１の結果である。
【００２６】
［実験方法］
純水に、リン酸バッファーを加えてｐＨ＝８.０に調整したｐＨ緩衝溶液に、トレーサ用蛍光物質であるローダミンＷＴと、各種色素（法定色素＝９種、色素製剤＝３種）を添加、混合し、室温で４０日間静置した。その後、ローダミンＷＴの濃度（ｍｇ／Ｌ）をそれぞれ測定した。
【００２７】
ローダミンＷＴのｐＨ緩衝溶液中の濃度（ｍｇ／Ｌ）は、実験Ｎｏ．１〜１３ではローダミンＷＴ濃度を６０ｍｇ／Ｌ（高濃度試験区）とし、実験Ｎｏ．１４〜２５ではローダミンＷＴ濃度を１０ｍｇ／Ｌ（低濃度試験区）とした。
【００２８】
試験した色素は、図１表に記載の通りで、チョコレート色Ｂ及びメロン色はシンコー株式会社製の色素製剤、他は法定色素である。ローダミンＷＴ高濃度試験区では、色素の添加量は、１０００ｍｇ／Ｌとして、混合色素として試験した実験Ｎｏ．１３では１：１重量比で、合計１０００ｍｇ／Ｌとした。ローダミンＷＴ低濃度試験区では、色素の添加量は、１ｍｇ／Ｌとして、混合色素として試験した実験Ｎｏ．２５では１：１重量比で、合計１ｍｇ／Ｌとした。
【００２９】
各色素の吸収極大波長（ｎｍ）も図１表に記載の通りである。なお、可視波長内（約４００〜８００ｎｍ）に吸収極大波長が２つ以上ある場合は、表中では吸収スペクトル高さの大きい順に表記している。図２〜４表においても同じ。
【００３０】
ローダミンＷＴの濃度は、ローダミンＷＴの蛍光強度を、島津製作所製蛍光光度計（型式：ＲＦ−１５００）を用いて測定し、測定した蛍光強度から、濃度が既知のローダミンＷＴを測定して予め得た標準曲線を用いて求めた。ローダミンＷＴの励起光波長は５５８ｎｍ、蛍光の測定波長は５７５ｎｍである。実施例２〜４においても同じ。
【００３１】
［結果］
実験の結果、次のことが明らかになった。ローダミンＷＴ高濃度試験区において、色素を添加しない場合（実験Ｎｏ．１）における室温、４０日間静置後のローダミンＷＴの濃度が１８ｍｇ／Ｌであることから、残存率は３０％であった。なお、残存率（％）は、測定時のローダミンＷＴ（ｍｇ／Ｌ）／添加時のローダミンＷＴ（ｍｇ／Ｌ）×１００で求め、小数点第１位を四捨五入した。以下、同じ。
【００３２】
一方、色素を添加した場合においては、黄色４号、橙色２０１号、褐色２０１号、赤色２号、紫色４０１号（実験Ｎｏ．２〜６）では、僅かな残存率の向上があっただけであった。残存率は、約３３〜５０％の範囲であった。より長い波長の位置に吸収極大がある色素の方が、より残存率が高い傾向、即ちローダミンＷＴの経時安定性を向上させていた。従って、チョコレート色Ｂ、メロン色１種添加（実験Ｎｏ．１１、１２）では、一層ローダミンＷＴの残存率が高かった。
【００３３】
チョコレート色Ｂとメロン色とを混合した場合（実験Ｎｏ．１３）では、それぞれ単一で添加した場合（実験Ｎｏ１１．１２）に比べ、残存率（９８％）が極めて向上した（実験Ｎｏ１３）。これは、両色素の相互作用による吸収波長域のシフト、及び６３０ｎｍでの吸収量の増加によるものと考えられる。チョコレート色Ｂとメロン色との混合製剤も、ローダミンＷＴの安定性向上に極めて有効である。
【００３４】
さらに、緑色３号、青色１号、黒色４０１号、青色２号の添加（実験Ｎｏ．７〜１０）では、約８７〜１００％の範囲の極めて高い残存率を示した。このように高い残存率であれば、水系の水処理薬剤などの添加物の濃度管理のために用いられるトレーサ物質として、長期に亘り、正確に添加物濃度を管理することが可能で、極めて有益である。また、低濃度ローダミンＷＴ試験区での結果も、上述の高濃度ローダミンＷＴ試験区の結果と同様の傾向であった。
【００３５】
以上のことから、吸収極大波長（ｎｍ）が約６１０〜６４０ｎｍである色素は、ローダミンＷＴの室温環境における経時安定性を極めて向上させることができることが明らかになった。
【実施例２】
【００３６】
図２は、ローダミン系蛍光物質（ローダミンＷＴ）及び各種色素との混合物の蛍光強度に対する熱の影響を調べた実施例２の結果である。
【００３７】
［実験方法］
純水に、リン酸バッファーを加えてｐＨ＝８.０に調整したｐＨ緩衝溶液に、トレーサ用蛍光物質であるローダミンＷＴと、各種色素（法定色素＝９種、色素製剤＝３種）を添加、混合し、５５℃に加温し、２０日間、５５℃を保持した。その後、ローダミンＷＴの濃度（ｍｇ／Ｌ）をそれぞれ実施例１と同様に蛍光強度から測定した。
【００３８】
ローダミンＷＴのｐＨ緩衝溶液中の濃度は６０ｍｇ／Ｌとし、添加色素は濃度２００ｍｇ／Ｌ（実験Ｎｏ．１３は合計）とした他は、実施例１と同じである。
［結果］
実験の結果、次のことが明らかになった。色素を添加しない場合（実験Ｎｏ．１）における５５℃、２２日間静置後のローダミンＷＴの濃度が３ｍｇ／Ｌであることから、残存率は５％であった。
【００３９】
一方、色素を添加した場合においては、黄色４号、橙色２０１号、褐色２０１号、赤色２号、紫色４０１号（実験Ｎｏ．２〜６）では、僅かな残存率の向上があっただけである。残存率は、約７〜１２％の範囲であった。また、チョコレート色Ｂ、メロン色１種添加（実験Ｎｏ．１１、１２）では、一層ローダミンＷＴの残存率が高かった。
【００４０】
さらに、緑色３号、青色１号、黒色４０１号、青色２号の添加（実験Ｎｏ．７〜１０）では、約８３〜９８％の範囲の極めて高い残存率を示し、熱に対してもローダミンＷＴの安定性を向上させることが明らかになった。これは、実施例１と同様に、これら色素がローダミンＷＴの蛍光強度の安定化に利用できることを示している。また、チョコレート色Ｂとメロン色との混合製剤も、ローダミンＷＴの安定性向上に極めて有効である。
【実施例３】
【００４１】
図３は、ローダミン系色蛍物質（ローダミンＷＴ）及び各種色素との混合物の蛍光強度に対する直射日光の影響を調べた実施例３の結果である。
【００４２】
［実験方法］
純水に、リン酸バッファーを加えてｐＨ＝８.０に調整したｐＨ緩衝溶液に、トレーサ用蛍光物質であるローダミンＷＴと、各種色素（法定色素＝９種、色素製剤＝３種）を添加、混合し、透明ガラス容器を密封し、直射日光の当たる場所に１０日間静置した。その後、ローダミンＷＴの濃度（ｍｇ／Ｌ）をそれぞれ実施例１と同様に蛍光強度から測定した。
【００４３】
ローダミンＷＴのｐＨ緩衝溶液中の濃度は１０ｍｇ／Ｌとし、添加色素は濃度５０ｍｇ／Ｌ（実験Ｎｏ．１３は合計）とした他は、実施例１と同じである。
【００４４】
［結果］
実験の結果、次のことが明らかになった。色素を添加しない場合（実験Ｎｏ．１）における５５℃、直射日光の当たる場所に１０日間静置後のローダミンＷＴの濃度が１ｍｇ／Ｌであることから、残存率は１０％であった。
【００４５】
色素を添加した場合においては、黄色４号、橙色２０１号、褐色２０１号、赤色２号、紫色４０１号（実験Ｎｏ．２〜６）では、色素を添加しない場合（実験Ｎｏ．１）と同等か、僅かな残存率の向上があっただけである。残存率は、１０〜２０％の範囲であった。また、チョコレート色Ｂ、メロン色１種添加（実験Ｎｏ．１１、１２）では、一層ローダミンＷＴの残存率が高かった。
【００４６】
さらに、緑色３号、青色１号、黒色４０１号、青色２号の添加（実験Ｎｏ．７〜１０）では、７０〜９０％の範囲の極めて高い残存率を示し、日光に対してもローダミンＷＴの安定性を向上させることが明らかになった。これは、実施例１と同様に、これら色素がローダミンＷＴの蛍光強度の安定化に利用できることを示している。また、チョコレート色Ｂとメロン色との混合製剤も、ローダミンＷＴの安定性向上に極めて有効である。
【実施例４】
【００４７】
図４は、水処理薬剤にローダミン系蛍光物質（ローダミンＷＴ）と、各種色素を混合した蛍光トレーサ含有水処理薬剤の蛍光強度の常温における経時変化を調べた実施例４の結果である。
【００４８】
［実験方法］
水処理薬剤として２−ブロモ−２−ニトロプロパン−１，３−ジオール（主に、スライム防除剤として使用されている。）を１重量％、トレーサとしてのローダミンＷＴを０.０１重量％（濃度１００ｍｇ／Ｌ）含有する混合液に、各種色素（法定色素＝４種）を０.０３重量％（濃度３００ｍｇ／Ｌ）添加、混合し、室温で４０日間静置した。その後、ローダミンＷＴの濃度（ｍｇ／Ｌ）をそれぞれ実施例１と同様に蛍光強度から測定した。色素は、法定黄色４号、赤色２号、緑色３号、青色１号を使用した。
【００４９】
［結果］
実験の結果、次のことが明らかになった。色素を添加しない場合（実験Ｎｏ．１）における、４０日間静置後のローダミンＷＴの濃度が、２ｍｇ／Ｌであることから、残存率は約２％であった。
【００５０】
波長６１０ｎｍ以上６４０ｎｍ以下の範囲に吸収極大を有しない色素である黄色４号、赤色２号では、ローダミンＷＴの安定性の向上は、色素を添加しない場合（実験Ｎｏ．１）と同様に認められず、又は極僅かに向上させるに留まる。一方、波長６１０ｎｍ以上６４０ｎｍ以下の範囲に吸収極大を有する色素である緑色３号、青色１号では、ローダミンＷＴの残存率は７０〜８５％で、極めて高い。このことから、水処理薬剤との共存環境下においても、蛍光トレーサ物質の蛍光強度安定性に有効であることが示された。
【産業上の利用可能性】
【００５１】
本発明であるローダミン系蛍光物質の蛍光強度安定化方法は、開放循環冷却水系などの水系において、水処理薬剤の濃度を長期間、正確に把握することができ、水処理薬剤の適正かつ低コスト管理が可能になる。また、水系の設備の保護を的確に行うことができる。
【図１】
2010223782.tif 000002
【図２】
2010223782.tif 000003
【図３】
2010223782.tif 000004
【図４】
2010223782.tif 000005